(57)【要約】  遠隔データバックアップ方法及びそれを用いた遠隔データバックアップシステムが開示される。本遠隔データバックアップシステムによると、通信状態に基づいてデータを転送するデータ生成装置と、受信されたデータを外部に伝達するデータ伝達装置と、受信されたデータをリアルタイムでバックアップする遠隔バックアップ装置と含む。それにより、映像をリアルタイムで外部に伝達してバックアップできるようになる。
2013502636.tif 000002
【特許請求の範囲】
【請求項１】
映像又は音声データを生成し、通信状態に基づいて前記生成されたデータを外部に転送するデータ生成装置と、
前記データ生成装置から生成されたデータが受信される場合、前記受信されたデータを外部に伝達するデータ伝達装置と、
前記データ生成装置又は前記データ伝達装置から受信されたデータをリアルタイムでバックアップする遠隔バックアップ装置と
を含む遠隔データバックアップシステム。
【請求項２】
前記データ生成装置は、
前記データ生成装置のメモリ容量が十分であるか否か、前記データ生成装置の周囲における前記データ伝達装置が検索されたか否か、前記データ伝達装置や前記遠隔バックアップ装置から前記データ伝達命令が受信された否か、又はユーザの操作により前記データ生成装置のモードが映像転送モードに設定されているか否かに基づいて、前記生成されたデータを前記データ伝達装置又は前記遠隔バックアップ装置に伝達することを特徴とする請求項１に記載の遠隔データバックアップシステム。
【請求項３】
前記データ生成装置は、
前記遠隔バックアップ装置との通信が可能である場合、前記生成されたデータを前記遠隔バックアップ装置に伝達し、前記遠隔バックアップ装置との通信が可能ではない場合、前記生成されたデータを前記データ伝達装置に伝達することを特徴とする請求項１に記載の遠隔データバックアップシステム。
【請求項４】
前記データ生成装置は、
前記データ生成装置と通信可能な装置のリストから、前記遠隔バックアップ装置と通信可能な装置を選択し、前記データ伝達装置として決定することを特徴とする請求項１に記載の遠隔データバックアップシステム。
【請求項５】
前記遠隔バックアップ装置と通信可能な装置は、ユーザによって直接選択されたり、前記データ生成装置との通信感度と、前記遠隔バックアップ装置との通信感度と、前記データ生成装置との通信履歴と、前記データ生成装置との通信時のエラー発生内訳及びユーザによって使われている装置であるか否かのうち、少なくともいずれか一つを考慮して選択されることを特徴とする請求項４に記載の遠隔データバックアップシステム。
【請求項６】
映像又は音声データを生成し、前記生成されたデータのバックアップ先に対する情報とともに前記生成されたデータを外部に転送するステップと、
前記データを受信したデバイスが前記データのバックアップ先を判断するステップと、
前記データを受信したデバイスが前記バックアップ先に前記データを転送するステップと
を含む遠隔データバックアップ方法。
【発明の詳細な説明】
【技術分野】
【０００１】
本発明は、遠隔データバックアップ方法及びそれを用いた遠隔データバックアップシステムに関し、より詳細には、生成されたデータをリアルタイムでバックアップするための遠隔データバックアップ方法及びそれを用いた遠隔データバックアップシステムに関する。
【背景技術】
【０００２】
最近、デジタル保存装置の大容量化や圧縮技術の発達により、デバイスに保存可能なデータの量が急増しており、デバイスの保存空間が大きくなるにつれ、ユーザは多様なデータを多様なデバイスにそれぞれ保存して使用できるようになった。
【０００３】
但し、多様なデータが複数個のデバイスにばらばらに保存されることにより、却ってデータに対する管理が困難になるという逆効果があり、このような問題を解決するための目的として、中央サーバのような大容量保存装置を使用することが多くなっている。
【０００４】
しかし、大容量保存装置を使ってデータを管理する場合にも、ユーザは各々のデバイスによって生成されたり、各々のデバイスに保存されているデータを一々中央サーバにバックアップしなければならないという問題があり、それはユーザにとって大きな負担となる。
【発明の概要】
【発明が解決しようとする課題】
【０００５】
そこで、本発明は、上記問題に鑑みてなされたものであり、本発明の目的とするところは、生成された映像をリアルタイムでバックアップするための遠隔データバックアップ方法及びそれを用いた遠隔データバックアップシステムを提供することにある。
【課題を解決するための手段】
【０００６】
前記目的を達成するための本発明の一実施形態に係る遠隔データバックアップシステムは、映像又は音声データを生成し、通信状態に基づいて前記生成されたデータを外部に転送するデータ生成装置と、前記データ生成装置から生成されたデータが受信される場合、前記受信されたデータを外部に伝達するデータ伝達装置と、前記データ生成装置又は前記データ伝達装置から受信されたデータをリアルタイムでバックアップする遠隔バックアップ装置とを含む。
【０００７】
ここで、前記データ生成装置は、前記データ生成装置のメモリ容量が十分であるか否か、前記データ生成装置の周囲における前記データ伝達装置が検索されたか否か、前記データ伝達装置や前記遠隔バックアップ装置から前記データ伝達命令が受信された否か、又はユーザの操作により前記データ生成装置のモードが映像転送モードに設定されているか否かに基づいて、前記生成されたデータを前記データ伝達装置又は前記遠隔バックアップ装置に伝達してよい。
【０００８】
なお、前記データ生成装置は、前記遠隔バックアップ装置との通信が可能である場合、前記生成されたデータを前記遠隔バックアップ装置に伝達し、前記遠隔バックアップ装置との通信が可能ではない場合、前記生成されたデータを前記データ伝達装置に伝達してよい。
【０００９】
そして、前記データ生成装置は、前記データ生成装置と通信可能な装置のリストから、前記遠隔バックアップ装置と通信可能な装置を選択し、前記データ伝達装置として決定してよい。
【００１０】
なお、前記遠隔バックアップ装置と通信可能な装置は、ユーザによって直接選択されたり、前記データ生成装置との通信感度と、前記遠隔バックアップ装置との通信感度と、前記データ生成装置との通信履歴と、前記データ生成装置との通信時のエラー発生内訳及びユーザによって使われている装置であるか否かのうち、少なくともいずれか一つを考慮して選択されてよい。
【００１１】
一方、前記目的を達成するための本発明の一実施形態に係る遠隔データバックアップ方法は、映像又は音声データを生成し、前記生成されたデータのバックアップ先に対する情報とともに前記生成されたデータを外部に転送するステップと、前記データを受信したデバイスが前記データのバックアップ先を判断するステップと、前記データを受信したデバイスが前記バックアップ先に前記データを転送するステップとを含む。
【発明の効果】
【００１２】
以上説明したように本発明によれば、生成された映像をリアルタイムで外部に伝達してバックアップできるようになる。
【図面の簡単な説明】
【００１３】
【図１】本発明の一実施形態に係る遠隔データバックアップシステムを示す図である。
【図２】デジタルカメラに対する詳細ブロック図である。
【図３】モードが設定される画面に対する実施形態に示す図である。
【図４】モードが設定される画面に対する実施形態に示す図である。
【図５】モードが設定される画面に対する実施形態に示す図である。
【図６】モードが設定される画面に対する実施形態に示す図である。
【図７】デジタルカメラがモバイルフォンを通じてサーバに転送可能な状況を説明するために提供される図である。
【図８】デジタルカメラがモバイルフォンを通じてサーバに転送可能な状況を説明するために提供される図である。
【図９】デジタルカメラがモバイルフォンを通じてサーバに転送可能な状況を説明するために提供される図である。
【図１０】デジタルカメラがモバイルフォンを通じてサーバに転送可能な状況を説明するために提供される図である。
【図１１】撮影された映像をリアルタイムでサーバに転送するためのデジタルカメラに対するブロック図である。
【図１２】撮影された映像がリアルタイムで転送される過程について説明するためのフローチャートである。
【図１３】モバイルフォンに対するブロック図である。
【図１４】複数のデータ伝達装置を通じてデータを伝達する方法を説明するための図である。
【図１５】複数のデータ伝達装置を通じてデータを伝達する方法を説明するための図である。
【図１６】複数のデータ伝達装置を通じてデータを伝達する方法を説明するための図である。
【発明を実施するための形態】
【００１４】
以下に添付図面を参照しながら、本発明の好適な実施形態について詳細に説明する。
【００１５】
図１は、本発明の一実施形態に係る遠隔データバックアップシステム１００を示す図である。本実施形態に係る遠隔データバックアップシステム１００は、特定デバイスから生成されたデータが中央サーバにリアルタイムで保存されるようにする。
【００１６】
このような遠隔データバックアップシステム１００は、デジタルカメラ１１０と、モバイルフォン１２０及びサーバ１３０で構成される。
【００１７】
デジタルカメラ１１０は、被写体を撮影することにより、映像データを直接生成するためのデータ生成装置の一種である。デジタルカメラ１１０は、被写体を撮影して生成された映像データがモバイルフォン１２０を介してサーバ１３０にリアルタイムで伝達されるようにする。特に、デジタルカメラ１１０は近距離通信方式で、生成された映像データをモバイルフォン１２０に転送し、モバイルフォン１２０に転送された映像データが遠距離通信方式でサーバ１３０に伝達されるようにする。
【００１８】
モバイルフォン１２０は、一般電話の加入者又は別のモバイルフォンの加入者と通話できるようにするための通信手段として、外部装置から受信された映像データをサーバ１３０に伝達するためのデータ伝達装置の一種である。モバイルフォン１２０は、ブルートゥースなどのような近距離通信方式で、デジタルカメラ１１０からデジタルカメラ１１０から生成された映像データを受信する。
【００１９】
なお、モバイルフォン１２０は、無線インターネットなどのような遠距離通信方式で、デジタルカメラ１１０から受信された映像データをサーバ１３０に伝達する。即ち、モバイルフォン１２０は、デジタルカメラ１１０から生成されて伝達された映像データが、デジタルカメラ１１０と通信する通信方式とは異なる通信方式でサーバ１３０に伝達されるようにする、トランスネットワーキングを可能とする。
【００２０】
サーバ１３０は、無線インターネットなどのような遠距離通信方式で、モバイルフォン１２０から映像データを受信して保存する遠隔バックアップ装置の一種である。デジタルカメラ１１０及びモバイルフォン１２０は携帯性が高い一方、サーバ１３０は主に家庭内に設けられている。
【００２１】
以下では、デジタルカメラ１１０の具体的な構成を通じて、デジタルカメラ１１０から生成された映像が、モバイルフォン１２０に伝達する過程について説明する。
【００２２】
図２は、デジタルカメラ１１０に対する詳細ブロック図である。図２に示すように、デジタルカメラ１１０は、映像受信部２１０と、映像処理部２２０と、ディスプレイ２３０と、制御部２４０と、コーデック２５０と、メモリ２６０と、送受信部２７０及び操作部２８０を備える。
【００２３】
映像受信部２１０は、レンズを介して入射する光を電気信号に光電変換し、電気信号に対して所定の信号処理を行うための画素及びＡＤコンバータを備える。各画素はアナログ型の映像信号を出力し、ＡＤコンバータはそれをデジタル型の映像信号に変換して出力する。
【００２４】
映像処理部２２０は、映像受信部２１０から入力される映像に対する信号処理を行い、撮影された映像をディスプレイするために処理された映像信号をディスプレイ２３０に転送する。なお、映像処理部２２０は撮影された映像を保存するために、コーデック２５０に信号処理された映像信号を出力する。
【００２５】
ディスプレイ２３０は、映像処理部２２０から受信された映像をディスプレイする。ユーザは、ディスプレイ２３０に表示された映像を確認することにより、撮影される映像を確認できるようになる。
【００２６】
コーデック２５０は、映像処理部２２０で受信した映像信号をエンコーディングし、エンコーディングされた映像信号を制御部２４０又はメモリ２６０に転送する。エンコーディングされた映像信号が制御部２４０に伝達されるか、メモリ２６０に伝達するかは、デジタルカメラ１１０のモードに応じて異なる。
【００２７】
まず、デジタルカメラ１１０のモードが映像転送モードである場合、コーデック２５０でエンコーディングされた映像は、制御部２４０を介して送受信部２７０に伝達される。即ち、デジタルカメラ１１０のモードが映像転送モードである場合には、撮影された映像をメモリ２６０に保存せず、撮影された映像をリアルタイムで外部に転送するために制御部２４０を介して送受信部２７０に伝達する。
【００２８】
次に、デジタルカメラ１１０のモードが映像保存モードである場合、コーデック２５０でエンコーディングされた映像はメモリ２６０に伝達され、ユーザの設定に応じて内蔵メモリ２６１又は外付けメモリ２６５のうち、いずれか一つに保存される。
【００２９】
このようなモードは、ユーザの操作によって手動で設定されてよく、ユーザによる操作なしに特定状況に応じて自動で設定されてよい。これに対する具体的な説明は、図３ないし図６を参照しながら後述する。
【００３０】
一方、メモリ２６０は、コーデック２５０でエンコーディングされた映像を保存する。このような保存部１６０は、フラッシュメモリや、ハードディスク、ＤＶＤなどのようにデジタルカメラ１１０に内蔵される内部メモリ２６１と、ＳＤカードやＣＦカードなどのように、デジタルカメラ１１０に取り外し可能な外部メモリ２６５で分けられる。
【００３１】
送受信部２７０は、映像データを外部装置に転送したり、外部装置から映像データの送信を要求するメッセージを受信する。特に、送受信部２７０は、デジタルカメラ１１０のモードが映像転送モードである場合、映像受信部２１０で受信され、コーデック２５０でエンコーディングされた映像がモバイルフォン１２０やサーバ１３０のような外部装置に転送されるようにし、モバイルフォン１２０やサーバ１３０のような外部装置から、映像受信部２１０で受信されてコーデック２５０でエンコーディングされた映像を転送することを要求するメッセージを受信する。
【００３２】
特に、送受信部２７０は、映像データをバックアップするためのバックアップ先を決定し、映像データのバックアップ先に対する情報とともに映像データをモバイルフォン１２０やサーバ１３０のような外部装置に転送する。それにより、映像データのバックアップ先に対する情報とともに映像データを受信したモバイルフォン１２０やサーバ１３０は、自分がバックアップ先であるか否かを判断し、自分がバックアップ先である場合、受信された映像データをバックアップし、自分がバックアップ先でない場合、受信された映像データをバックアップ先に伝達する。
【００３３】
操作部２８０は、デジタルカメラ１１０を操作するためのユーザの命令を受け取り、入力されたユーザの命令を制御部２４０に伝達する。
【００３４】
制御部２４０は、送受信部２７０を介して入力された映像転送要求、及び操作部２８０から入力されたユーザの命令に基づいてデジタルカメラ１１０の全般を制御する。
【００３５】
以上では、エンコーディングされた映像信号が制御部２４０に伝達されるか、メモリ２６０に伝達されるか否かが、デジタルカメラ１１０のモードに応じて異なると述べた。以下では、図３ないし図６を参照しながら、モードが変更される状況について説明する。
【００３６】
図３ないし図６は、モードが設定される画面に対する実施形態に示す図である。
【００３７】
ユーザの操作によって手動でモードが設定される場合は、ユーザがデジタルカメラ１１０を直接操作することで、操作部２８０を介してこのようなユーザの命令が入力された場合といってよい。
【００３８】
これに対する内容が図３に示されている。図３に示すように、ユーザが操作部２８０を介してモード設定画面を呼び出す場合、モード設定画面には、（１）映像転送モードと、（２）映像保存モードが表示され、ユーザはそこから一つを直接選択することにより、デジタルカメラ１１０のモードを設定することができる。
【００３９】
ユーザによる操作なしに自動でモードが設定される特定状況とは、次のようなものを挙げることができる。
【００４０】
まず、メモリ２６０の容量がいっぱいであるか十分でないため、映像データの保存が不可能であるか困難な場合である。
【００４１】
それに対する内容が図４に示されている。図４に示すように、映像撮影中にメモリが足りない場合、デジタルカメラ１１０は、メモリが不足しているという警告メッセージ（「メモリがいっぱいになりました」とともに、その後、撮影され続ける映像をサーバに転送するという案内メッセージ（「サーバに転送します」）を同時に表示することができる。その後、デジタルカメラ１１０は、ユーザより特別な操作が入力されない場合、その後に撮影される映像をサーバに転送するようになる。
【００４２】
次に、デジタルカメラ１１０から生成された映像をサーバ１３０に伝達するための媒介デバイスが存在する場合である。それは、主に、デジタルカメラ１１０とサーバ１３０との間の通信方式が相違するため、通信が不可能な状況で、デジタルカメラ１１０とも通信が可能であり、サーバ１３０とも通信が可能な媒介デバイスが出現した場合に想定可能である。
【００４３】
それに対する内容が図５に示されている。図５に示すように、デジタルカメラ１１０が映像を撮影中にデジタルカメラ１１０の周辺からモバイルフォン１２０を検察した場合、デジタルカメラ１１０はモバイルフォン１２０が検索されたという案内メッセージ（「モバイルフォンが検索されました」）とともに、その後、撮影され続ける映像をモバイルフォン１２０を通じてサーバ１３０に転送するという案内メッセージ（「モバイルフォンを通じてサーバに転送します」）を同時に表示することができる。その後、デジタルカメラ１１０は、ユーザより特別な操作が入力されない場合、その後に撮影される映像データとサーバ１３０に映像データを転送することを要求するメッセージをモバイルフォン１２０に転送するようになる。
【００４４】
一方、このように、デジタルカメラ１１０がモバイルフォン１２０のような媒介デバイスを通じてサーバ１３０に映像を転送するため、デジタルカメラ１１０と、モバイルフォン１２０及びサーバ１３０の間には相互間のアクセスを可能とする認証手続きが予め行なわれていてよく、モバイルフォン１２０はデジタルカメラ１１０及びサーバ１３０のいずれとも通信できるように、デジタルカメラ１１０の通信方式及びサーバ１３０の通信方式の両方を使えるようにしなけらばならない。
【００４５】
次に、デジタルカメラ１１０を制御するための別途の制御デバイス又はサーバ１３０からデジタルカメラ１１０で撮影された映像の転送を要求する命令が入力された場合である。このような制御デバイスは上述のモバイルフォン１２０になってよい。
【００４６】
それに対する内容が図６に示されている。図６に示すように、デジタルカメラ１１０が映像を撮影中に撮影された映像の転送を要求する命令を受信した場合、デジタルカメラ１１０は映像転送の要求が受信されたという案内メッセージ（「映像転送要求が受信されました」）とともに、その後、撮影され続ける映像をサーバ１３０に転送するという案内メッセージ（「サーバに転送します」）を同時に表示することができる。その後、デジタルカメラ１１０は、ユーザより特別な操作が入力されない場合、その後に撮影される映像データをサーバ１３０に転送するようになる。
【００４７】
このような場合にも同様に、デジタルカメラ１１０とサーバ１３０との間の通信方式が同じである場合、デジタルカメラ１１０で撮影される映像は直ちにサーバ１３０に転送されてよく、デジタルカメラ１１０とサーバ１３０との間の通信方式が異なり、モバイルフォン１２０が両通信方式をすべて使う場合、デジタルカメラ１１０で撮影された映像はモバイルフォン１２０を介してサーバ３１０に転送されてよい。
【００４８】
以上で述べたように、映像をサーバに転送するという案内メッセージを表示することは、説明の便宜上のための例示的な事項に過ぎず、このような案内メッセージなしに直ちに映像がサーバに転送されるようにすることができる。
【００４９】
なお、以上で、映像転送モード又は映像保存モードがユーザの操作によって手動で設定されたり、ユーザによる操作なしに特定事項に応じて自動で設定されることを説明した例は、説明の便宜上のための例示的な事項に過ぎず、その他の別の状況でもモードが設定されてよい。
【００５０】
一方、以上では、デジタルカメラ１１０で撮影された映像がモバイルフォン１２０を介してサーバ１３０に転送されると説明しており、それに対する前提として、モバイルフォン１２０がデジタルカメラ１１０と通信可能な通信方式と、サーバ１３０と通信可能な通信方式を用いると述べている。
【００５１】
以下では、デジタルカメラ１１０がモバイルフォン１２０を介してサーバ１３０に転送できる具体的な状況について、図７ないし図１０を参照しながら説明する。
【００５２】
図７ないし図１０は、デジタルカメラ１１０がモバイルフォン１２０を介してサーバ１３０に転送され得る状況を説明するために提供される図である。
【００５３】
まず、デジタルカメラ１１０は、複数の周辺装置のうちの一つとしてモバイルフォン１２０が自動で選択されるように予め設定し、選択されたモバイルフォン１２０を介して撮影された映像がサーバ１３０に転送されるようにすることができる。
【００５４】
それに対する内容が図７に示されている。図７に示すように、デジタルカメラ１１０が通信可能な周辺装置を検索し、周辺装置に対するリストを画面に表示する場合、ユーザは検索された周辺装置の中からモバイルフォン１２０を選択し、デジタルカメラ１１０から生成された映像データがモバイルフォン１２０を介してサーバ１３０に転送されるようにすることができる。
【００５５】
ここで、周辺装置リストに含まれた周辺装置は、デジタルカメラ１１０と通信可能な通信方法を使いつつ、それと同時にサーバ１３０と通信可能な通信方式を用いるデバイスに対するリストである。
【００５６】
次に、デジタルカメラ１１０は、周辺装置リストの中から、通信感度が最もよい周辺装置であるモバイルフォン１２０が自動で選択されるように予め選定し、選択されたモバイルフォン１２０を介して撮影された映像がサーバ１３０に伝達されるようにすることができる。
【００５７】
それに対する内容が図８に示されている。図８に示すように、デジタルカメラ１１０が通信可能な周辺装置を検索して周辺装置に対するリストを画面に表示する場合、デジタルカメラ１１０は周辺装置との通信感度に対するレベルを測定し、それに対する情報を周辺装置の名称とともに表示することができる。
【００５８】
従って、ユーザは、検索された周辺装置の中から、通信感度が最もよい周辺装置であるモバイルフォン１２０が自動で選択され、デジタルカメラ１１０から生成された映像データがモバイルフォン１２０を介してサーバ１３０に転送されるようにすることができる。
【００５９】
一方、このような通信感度は、デジタルカメラ１１０と周辺装置との間の通信感度であってよく、周辺装置とサーバ１３０との間の通信感度であってよく、このような両通信感度を総合したものであってよい。上述の通信感度が周辺装置とサーバ１３０との通信感度である場合、デジタルカメラ１１０は周辺装置とサーバ１３０との間の通信感度に対する情報を周辺装置からそれぞれ受信し、それに対する内容が分かるようになる。
【００６０】
その次に、デジタルカメラ１１０は、周辺装置リストの中から、デジタルカメラ１１０で自主的に生成した推薦度レベルに応じて、推薦度が最も高いモバイルフォン１２０が自動で選択されるように予め設定し、選択されたモバイルフォン１２０を介して撮影された映像がサーバ１３０に伝達されるようにすることができる。
【００６１】
このような内容が図９に示されている。図９に示すように、デジタルカメラ１１０が通信可能な周辺装置を検索して周辺装置に対するリストを画面に表示する場合、デジタルカメラ１１０は周辺装置との通信を推薦する推薦度に対するレベルを周辺装置の名称とともに表示することができる。
【００６２】
従って、ユーザは、検索された周辺装置の中から、推薦度の最も高い周辺装置であるモバイルフォン１２０が自動で選択され、デジタルカメラ１１０から生成された映像データがモバイルフォン１２０を介してサーバ１３０に転送されるようにすることができる。
【００６３】
一方、このような推薦度は、デジタルカメラ１１０と周辺装置との間の通信履歴、通信時のエラー発生程度などを考慮して算定されてよい。一例として、通信感度が一時的によく、感度レベルが高いとしても、度々途切れ（通信断絶）現象が生じるデバイスを通じて映像を転送する場合、デジタルカメラ１１０で撮影された映像が誤転送されたり、映像にエラーが生じるおそれがある。
【００６４】
従って、デジタルカメラ１１０は、誤転送内訳やエラー内訳などを考慮し、検索された周辺装置リストに対する推薦度を算定し、ユーザは、検索された周辺装置の中から、推薦度が最も高い周辺装置であるモバイルフォン１２０が自動で選択され、デジタルカメラ１１０から生成された映像データがモバイルフォン１２０を介してサーバ１３０に転送されるようにすることができる。
【００６５】
その次に、デジタルカメラ１１０は周辺装置リストの中から、ユーザによって使われていないデバイスであるモバイルフォン１２０が自動で選択されるように予め設定し、選択されたモバイルフォン１２０を介して撮影された映像がサーバ１３０に伝達されるようにすることができる。
【００６６】
それに対する内容が図１０に示されている。図１０に示すように、デジタルカメラ１１０が通信可能な周辺装置を検索して周辺装置に対するリストを画面に表示する場合、デジタルカメラ１１０は周辺装置が現在使用中であるか否かを示す情報を周辺装置の名称とともに表示することができる。
【００６７】
従って、ユーザは、検索された周辺装置の中から、使われていない周辺装置であるモバイルフォン１２０が自動で選択され、デジタルカメラ１１０から生成された映像データがモバイルフォン１２０を介してサーバ１３０に転送されるようにすることができる。
【００６８】
デジタルカメラ１１０がモバイルフォン１２０を介してサーバ１３０に転送できる具体的な状況で、以上で説明した内容は、あくまでも説明の便宜上のための例示的な事項に過ぎない。従って、上述のような状況以外であっても、デジタルカメラ１１０がモバイルフォン１２０を介してサーバ１３０に転送できることはいうまでもない。
【００６９】
なお、以上では、周辺装置のリストがデジタルカメラ１１０の画面に表示されるものとして想定してきたが、ユーザの手動的な操作によってモバイルフォン１２０が選択される場合を除く場合には、このような画面が表示されないまま、自動でモバイルフォン１２０が選択されるように実現する場合にも、本発明がそのまま適用可能である。
【００７０】
そして、以上で説明した周辺装置のリストに対する画面は、周辺装置リストを表示するためのユーザからの別途の命令がない場合、画面に表示され続ける必要はなく、一旦モバイルフォン１２０との通信接続が行われると、それ以上、周辺装置リストが表示されなくなったり、モバイルフォン１２０と接続された状態であるという情報くらい表示されるようにすることもできる。
【００７１】
一方、以上では、ユーザによる操作なしに自動でモードが設定される特定状況のうちの一つとして、メモリ２６０の容量がいっぱいであるか十分でないため、映像データの保存が不可能であるか困難な場合については上述している。以下では、内蔵メモリ２６１や外付けメモリ２６５を使用せず、撮影された映像をモバイルフォン１２０を介してリアルタイムでサーバ１３０に転送する過程について、図１１及び図１２を参照しながら説明する。
【００７２】
図１１は、内蔵メモリ２６１や外付けメモリ２６５を使用せず、撮影された映像をモバイルフォン１２０を介してリアルタイムでサーバ１３０に転送するためのデジタルカメラ１１０に対するブロック図である。
【００７３】
図１１に示すように、デジタルカメラ１１０は、映像受信部２１０と、映像処理部２２０と、ディスプレイ２３０と、制御部２４０と、ＳＤＲＡＭ２４５と、コーデック２５０と、メモリ２６０と、送受信部２７０及び操作部２８０を備える。図１１に示された映像受信部２１０と、映像処理部２２０と、ディスプレイ２３０と、制御部２４０と、コーデック２５０と、メモリ２６０と、送受信部２７０及び操作部２８０は、図２に示された映像受信部２１０と、映像処理部２２０と、ディスプレイ２３０と、制御部２４０と、コーデック２５０と、メモリ２６０と、送受信部２７０及び操作部２８０と同様であるため、以下では詳細な説明は省略し、ＳＤＲＡＭ２４５を中心に説明する。
【００７４】
ＳＤＲＡＭ２４５は、映像処理部２２０が映像受信部２１０を介して入力された映像を信号処理をする上で必要な保存空間を提供し、映像処理部２２０で処理された映像を圧縮する上で必要な保存空間を提供するためのバッファとして、入力された映像及び映像処理された映像を一時保存する。
【００７５】
内蔵メモリ２６１や外付けメモリ２６５を使用せずに、撮影された映像をモバイルフォン１２０を介してリアルタイムでサーバ１３０に転送するために、デジタルカメラ１１０はこのようなＳＤＲＡＭ２４５を用いる。
【００７６】
図１２は、撮影された映像がリアルタイムで転送される過程について説明するためのフローチャートである。
【００７７】
まず、映像が撮影されると（Ｓ６１０）、デジタルカメラ１１０は撮影された映像に対して、信号処理及びエンコーディングを行う（Ｓ６２０）。
【００７８】
信号処理とエンコーディングが完了すると、デジタルカメラ１１０は内蔵メモリ２６１と外付けメモリ２６５の保存空間が十分か否かを判断し（Ｓ６３０）、保存空間が十分でない場合（Ｓ６３０−Ｙ）、ＳＤＲＡＭ２４５にエンコーディングされた映像を一時保存する（Ｓ６４０）。
【００７９】
その後、デジタルカメラ１１０は、一時保存された映像をモバイルフォン１２０やサーバ１３０のような外部装置に転送する（Ｓ６５０）。
【００８０】
一方、ＳＤＲＡＭ２４５は一時保存された映像を削除せずに、保存状態を保持する。外部装置に転送された映像を外部装置に受信し、外部装置から映像を適切に受信したという信号（ＡＣＫ）が受信されると（Ｓ６６０）、デジタルカメラ１１０は受信されたＡＣＫを確認した後、ＳＤＲＡＭ２４５に保存された映像を削除する（Ｓ６７０）。
【００８１】
これにより、内蔵メモリ２６１と外付けメモリ２６５を使うことなく、撮影された映像をリアルタイムで外部に伝達してバックアップできるようになる。
【００８２】
以下では、デジタルカメラ１１０でリアルタイムで撮影された映像をサーバ１３０に伝達するためのモバイルフォン１２０の役割について、図１３を参照しながら説明する。
【００８３】
図１３は、モバイルフォン１２０に対するブロック図である。図１３においては、説明の便宜性のために、本発明に係る構成のみを示している。
【００８４】
モバイルフォン１２０は、第１通信モジュール７１０と、制御部７２０と、第２通信モジュール７３０及び保存部７４０を備える。
【００８５】
第１通信モジュール７１０は、第２通信モジュール７３０とは異なる通信方式でデジタルカメラ１１０のような外部装置と通信する。このような第１通信モジュール７１０は、Ｗｉ−Ｆｉやブルートゥースなどのような近距離通信方式のうち一つであってよい。
【００８６】
なお、モバイルフォン１２０は、ユーザによって携帯して使用されるのが一般的であり、デジタルカメラ１１０もユーザによって携帯して使用されるのが一般的である。従って、第１通信モジュール７１０は、近距離通信方式によりデジタルカメラ１１０と通信するための目的として使用される。
【００８７】
このように、第１通信モジュール７１０は、近距離通信方式によりデジタルカメラ１１０と通信し、デジタルカメラ１１０から撮影された映像を受信し、撮影された映像が正常に受信されたことを報知する信号（ＡＣＫ）をデジタルカメラ１１０に転送する。
【００８８】
同様に、第２通信モジュール７３０は、第１通信モジュール７１０とは異なる通信方式でサーバ１３０のような外部装置と通信する。このような第２通信モジュール７３０は、無線インターネットなどのような遠距離通信方式のうち一つであってよい。
【００８９】
なお、モバイルフォン１２０は、ユーザによって携帯して使用されるのが一般的であり、サーバ１３０は、家庭内や会社内に固定して使用されるのが一般的である。従って、第２通信モジュール７３０は、遠距離通信方式によりサーバ１３０と通信するための目的として使用される。
【００９０】
このように、第２通信モジュール７３０は、遠距離通信方式によりサーバ１３０と通信し、デジタルカメラ１１０から撮影されて受信された映像をサーバ１３０に伝達する。
【００９１】
保存部７４０は、デジタルカメラ１１０から受信された映像を保存し、サーバ１３０との通信状態に対する情報を保存するための保存媒体として、ＨＤＤやフラッシュメモリなどで実現可能である。
【００９２】
制御部７２０は、モバイルフォン１２０の動作全般を制御する。
【００９３】
このように、モバイルフォン１２０は、第１通信モジュール７１０と第２通信モジュール７３０と具備することにより、トランスネットワーキングを可能とし、相互通信が不可能な両デバイス間におけるデータ転送が可能となる。
【００９４】
一方、以上では、データ生成装置の一種としてデジタルカメラ１１０を基準として説明し、データ伝達装置の一種としてモバイルフォン１２０を基準として説明し、遠隔バックアップ装置の一種としてサーバ１３０を基準として説明する。しかし、それは、説明の便宜上のための例示的な事項に過ぎず、データ生成装置と、データ伝達装置及び遠隔バックアップ装置は、それと異なるデバイスで構成される場合にも、本発明がそのまま適用可能である。
【００９５】
例えば、データ生成装置としてマイクロフォンの付いたＭＰ３プレーヤで録音された音声データを、データ伝達装置としてＰＭＰ（Ｐｏｒｔａｂｌｅ  Ｍｕｌｔｉｍｅｄｉａ  Ｐｌａｙｅｒ）を通じて、遠隔バックアップ装置であるテレビに伝達する場合にも、本発明の技術的な思想がそのまま適用されてよい。但し、この場合、データ生成装置であるＭＰ３プレーヤは、データ伝達装置であるＰＭＰと通信可能な通信方式を用いるべきであり、データ伝達装置であるＰＭＰと遠隔バックアップ装置であるテレビと通信可能な通信方式を用いるべきである。
【００９６】
なお、以上では、データ生成装置から生成されたデータがデータ伝達装置を経て遠隔バックアップ装置に伝達されるものとして想定したが、あくまでも、データ生成装置と遠隔バックアップ装置と間の通信方式が相違する場合に、データ伝達装置を使用するものと見なす。従って、データ生成装置と遠隔バックアップ装置との間の通信方式が互いに一致すると、データ伝達装置を経ることなく、データ送受信が可能となる。
【００９７】
無論、データ生成装置と遠隔バックアップ装置との間の通信方式が互いに一致するとしても、通信状態が良好でない場合には、データ伝達装置を経てデータを転送することができる。
【００９８】
そして、以上では、データ伝達装置が二つ以上である場合、一つを選択して映像を伝達するものとして想定したが、それも、説明の便宜上のための例示的な事項に過ぎない。従って、データ生成装置は、二つ以上のデータ伝達装置を通じてデータが遠隔バックアップ装置にバックアップされるようにすることもできる。それに対する内容が、図１４に示されている。
【００９９】
図１４は、複数のデータ伝達装置を通じてデータを伝達する方法を説明するための図である。図１４に示すように、デジタルカメラ１１０が被写体を撮影して撮影された映像を生成すると、デジタルカメラ１１０は撮影された同様の映像（以下、「Ｎ番目の撮影映像」という）をモバイルフォン１２０とネットブック８１０に同時に転送する。
【０１００】
モバイルフォン１２０とネットブック８１０は、デジタルカメラ１１０から受信されたＮ番目の撮影映像をサーバ１３０に転送する。サーバ１３０は、モバイルフォン１２０を経由して転送されたデータのエラー率と、ネットブック８１０を経由して転送されたデータとをすべて受信する。
【０１０１】
この場合、重複データがサーバ１３０にバックアップされてサーバ１３０の保存空間が無駄に費やされてしまうという問題がある。その問題を防止するために、サーバ１３０は、モバイルフォン１２０を介して転送されたＮ番目の撮影映像とネットブック８１０を介して転送されたＮ番目の撮影映像のエラー率を比較し、比較結果に応じてエラー率が低いネットブック８１０ルートのＮ番目の撮影映像のみを取捨選択し、データの保存容量が無駄に費やされるということを防止することができる。
【０１０２】
更に、複数のデータ伝達装置を用いる場合、複数のデータ伝達装置のすべての通信状態が良好である場合、映像が生成される順番に応じて、複数のデータ伝達装置のすべてを使用してデータを遠隔バックアップ装置にバックアップすることもできる。これに対する内容が、図１５に示されている。
【０１０３】
図１５は、複数のデータ伝達装置を通じてデータを伝達する方法を説明するための図である。図１５に示すように、デジタルカメラ１１０が被写体を撮影して撮影された映像を生成すると、デジタルカメラ１１０はＮ番目の撮影映像をモバイルフォン１２０に転送する。なお、モバイルフォン１２０は、デジタルカメラ１１０から受信されたＮ番目の撮影装置をリアルタイムでサーバ１３０に転送する。
【０１０４】
次に、デジタルカメラ１１０が次の映像を撮影した場合、即ち、Ｎ＋１番目の撮影映像を生成した場合、デジタルカメラ１１０は、Ｎ＋１番目の撮影映像をネットブック８１０に転送する。なお、ネットブック８１０は、デジタルカメラ１１０から受信されたＮ＋１番目の撮影装置をリアルタイムでサーバ１３０に転送する。
【０１０５】
このように、複数のデータ伝達装置を通じて、データ生成装置から生成された映像を互いに分けて転送することにより、データ伝達装置における処理がより速く円滑に行われるようになる。
【０１０６】
一方、二つ以上のデータ伝達装置のうち一つを選択して映像を伝達する場合にも、データ生成装置は、データ伝達装置を変えつつ、映像を遠隔バックアップ装置にバックアップさせることができる。それに対する内容が、図１６に示されている。
【０１０７】
図１６は、複数のデータ伝達装置を通じてデータを伝達する方法を説明するための図である。図１６の上段に示すように、デジタルカメラ１１０が被写体を撮影して撮影された映像を生成すると、デジタルカメラ１１０は撮影映像をモバイルフォン１２０に転送する。なお、モバイルフォン１２０は、デジタルカメラ１１０から受信された撮影映像をリアルタイムでサーバ１３０に転送する。この場合にも、デジタルカメラ１１０はモバイルフォン１２０との通信状態及び別のデータ伝達装置との通信状態を随時チェックする。
【０１０８】
通信状態をチェックした結果、モバイルフォン１２０との通信状態が良好であると判断されると、デジタルカメラ１１０は、図１６の上段に示すように、モバイルフォン１２０を介して撮影映像をサーバ１３０にバックアップさせ続ける。
【０１０９】
一方、通信状態をチェックした結果、モバイルフォン１２０との通信状態が不良か、より良好な通信状態を見せるデータ伝達装置であるネットブック８１０が現れたものと判断されると、デジタルカメラ１１０は、図１６の下段に示すように、ネットブック８１０を介して撮影映像をサーバ１３０にバックアップさせ、モバイルフォン１２０を介してのバックアップを中断する。
【０１１０】
即ち、データ生成装置は、従来に選択されたデータ伝達装置との通信状態が徐々に不良になったり、選択されていないデータ伝達装置との通信状態が徐々に良好になったりする場合、より良好なデータ伝達装置を介してデータが遠隔バックアップ装置にバックアップされるようにする。
【０１１１】
なお、以上では、データ生成装置から生成された映像を一々遠隔バックアップ装置にバックアップするものとして想定したが、無論、データ生成装置又はデータ伝達装置は生成された映像、又は受信された映像の品質、エラー率などをチェックし、一定品質以上の映像又は一定エラー率以下の映像に対してのみ、遠隔バックアップ装置にバックアップできる。
【０１１２】
例えば、デジタルカメラ１１０で撮影された映像をモバイルフォン１２０を介してサーバ１３０に転送する場合、デジタルカメラ１１０は撮影された映像の品質が一定品質以下である場合、モバイルフォン１２０に転送せずにそのまま削除することができ、モバイルフォン１２０に転送された映像のエラー率が一定エラー率以上である場合、モバイルフォン１２０は受信された映像をサーバ１３０に転送せずにそのまま削除することができる。
【０１１３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2013502636.tif 000003
【図２】
2013502636.tif 000004
【図３】
2013502636.tif 000005
【図４】
2013502636.tif 000006
【図５】
2013502636.tif 000007
【図６】
2013502636.tif 000008
【図７】
2013502636.tif 000009
【図８】
2013502636.tif 000010
【図９】
2013502636.tif 000011
【図１０】
2013502636.tif 000012
【図１１】
2013502636.tif 000013
【図１２】
2013502636.tif 000014
【図１３】
2013502636.tif 000015
【図１４】
2013502636.tif 000016
【図１５】
2013502636.tif 000017
【図１６】
2013502636.tif 000018
【国際調査報告】
2013502636.tif 000019
2013502636.tif 000020